(57)【要約】【課題】回転操作入力パッドを用いて画面フォーカス移動や画面スクロール操作を簡単に素早く行う。【解決手段】外側円形スクロールパッド部１１、内側円形スクロールパッド部１２及び選択キー１３ａは、同心円状にそれぞれ筐体の中央表面位置に配置されている。外側円形スクロールパッド部１１と内側円形スクロールパッド部１２は、互いに独立して回転操作可能な構成とされている。外側円形スクロールパッド部１１をユーザが右回り又は左回りの回転操作を行うことにより、フォーカス２１が上方向又は下方向に移動する。内側円形スクロールパッド部１２をユーザが右回り又は左回りの回転操作を行うことにより、フォーカス２１が左方向又は右方向に移動する。また、円形スクロールパッド部１１、１２の回転操作により画面スクロールも行う。【選択図】図２
2009122794.tif 000002
【特許請求の範囲】
【請求項１】
表示部と、キー入力部とを筐体表面に備えた携帯端末装置において、
前記キー入力部に、互いに独立して回転操作可能な構成の第１及び第２の回転操作入力パッドを設け、前記第１及び第２の回転操作入力パッドの回転操作により前記表示部に表示されたフォーカスの移動、又は前記表示部の画面のスクロールを行うことを特徴とする携帯端末装置。
【請求項２】
表示部と、キー入力部とを筐体表面に備えた携帯端末装置において、
前記キー入力部に、互いに独立して回転操作可能な構成の第１及び第２の回転操作入力パッドを設け、前記第１の回転操作入力パッドは、その回転操作により前記表示部に表示されたフォーカスを上下方向へ移動し、前記第２の回転操作入力パッドは、その回転操作により前記表示部に表示されたフォーカスを左右方向へ移動し、前記第１及び第２の回転操作入力パッドは、それぞれ左回りの回転操作により前記表示部の画面の前頁及び次頁のうち一方の頁へのスクロールを行い、前記第１及び第２の回転操作入力パッドは、それぞれ右回りの回転操作により前記表示部の画面の前頁及び次頁のうち他方の頁へのスクロールを行うことを特徴とする携帯端末装置。
【請求項３】
前記第１及び第２の回転操作入力パッドは、それぞれ互いに独立して回転操作可能な構成で、一方の回転操作入力パッドの内径よりも他方の回転操作入力パッドの外径が小である円環状で、かつ、その回転中心が互いに一致するように、前記筐体表面に配置されていることを特徴とする請求項２記載の携帯端末装置。
【請求項４】
前記第１又は第２の回転操作入力パッドの回転操作により移動した前記フォーカスの移動位置を押下操作により決定する選択キーを、前記キー入力部に設けたことを特徴とする請求項２又は３記載の携帯端末装置。
【請求項５】
前記選択キーは、前記第１及び第２の回転操作入力パッドのうち、内径が小さな方の回転操作入力パッドの内径よりも小径の円形状で、かつ、その中心が前記第１及び第２の回転操作入力パッドの回転中心位置と一致するように、前記第１及び第２の回転操作入力パッドと同心円状に前記筐体表面に配置されていることを特徴とする請求項４記載の携帯端末装置。
【請求項６】
前記第１及び第２の回転操作入力パッドと前記選択キーとを、前記表示部の近傍位置に配置したことを特徴とする請求項５記載の携帯端末装置。
【発明の詳細な説明】
【技術分野】
【０００１】
本発明は携帯端末装置に係り、特に円形スクロールパッドを備えた携帯端末装置に関する。
【背景技術】
【０００２】
ＩＭＴ−２０００（International Mobile Telecommunications 2000）規格やＰＤＣ(Personal Digital Cellular)規格に基づく携帯端末装置、あるいはＰＨＳ(Personal Handyphone System)やＰＤＡ(Personal Digital Assistants)などの携帯端末装置では、円形スクロールパッドで画面上に表示されたフォーカスを上下方向に移動したり、画面のスクロール操作を行うものが知られている（例えば、特許文献１参照）。
【０００３】
また、画面のスクロールを左右方向に行わせるＸ軸方向スクロール操作部と、上下方向に行わせるＹ軸方向スクロール操作部とを備えた携帯端末装置も知られている（例えば、特許文献２参照）。この携帯端末装置では、表示部の下部に配置したＸ軸方向スクロール操作部と、表示部の側部に配置したＹ軸方向スクロール操作部とは円形ではなく、それぞれ細長い形状のタッチパッドである。
【０００４】
【特許文献１】再公表特許ＷＯ２００５／０２４６１６号公報
【特許文献２】特開２００１−６９２２３号公報
【発明の開示】
【発明が解決しようとする課題】
【０００５】
しかしながら、特許文献１記載の携帯端末装置では、１つの円形スクロールパッドしか備えていないため、上下方向の画面フォーカス移動や画面スクロール操作しか行えず、左右方向の画面フォーカス移動などに対しては、円形スクロールパッドの左右の先端部分を押下して操作したり、上下方向の動きの延長で左右方向の動きをもたらすフォーカス移動操作を行うものしかなく、上下左右方向に対して感覚的に同じような操作で行えず、簡単に素早く画面操作を行うことができない。また、特許文献２記載の携帯端末装置では、Ｘ軸方向用とＹ軸方向用の専用のスクロール操作部しか備えておらず、画面フォーカス移動ができない。
【０００６】
本発明は以上の点に鑑みなされたもので、回転操作入力パッドを用いて画面フォーカス移動や画面スクロール操作を簡単に素早く行い得る携帯端末装置を提供することを目的とする。
【課題を解決するための手段】
【０００７】
本発明は上記の目的を達成するため、表示部と、キー入力部とを筐体表面に備えた携帯端末装置において、上記キー入力部に、互いに独立して回転操作可能な構成の第１及び第２の回転操作入力パッドを設け、第１及び第２の回転操作入力パッドの回転操作により表示部に表示されたフォーカスの移動、又は表示部の画面のスクロールを行うことを特徴とする。
【発明の効果】
【０００８】
本発明によれば、第１及び第２の回転操作入力パッドの回転操作により、画面操作方向と同じような感覚で簡単に素早く画面操作を行うことができる。
【発明を実施するための最良の形態】
【０００９】
次に、本発明の実施形態を図面と共に説明する。
【００１０】
図１は、本発明になる携帯端末装置の一実施形態のブロック図、図２は、本発明になる携帯端末装置の一実施形態の外観正面図を示す。両図中、同一構成部分には同一符号を付してある。図１に示すように、本実施形態の携帯端末装置１０は、外側円形スクロールパッド部１１、内側円形スクロールパッド部１２、キー入力部１３、制御部１４、表示部１５、記憶部１６及び無線部１７を有している。
【００１１】
外側円形スクロールパッド部１１は、ユーザ操作による右回り又は左回りの回転操作により、表示部１５の画面内のフォーカスの上下方向の移動及び表示部１５の画面の上下方向のスクロールを行う回転操作入力パッドである。内側円形スクロールパッド部１２は、ユーザ操作による右回り又は左回りの回転操作により、表示部１５の画面内のフォーカスの左右方向の移動及び表示部１５の画面の左右方向のスクロールを行う回転操作入力パッドである。
【００１２】
キー入力部１３は、ユーザによるキー押下操作により、携帯端末装置の電話、メール、サイト閲覧、文字入力などの基本的な機能の呼び出し、登録操作などのユーザ操作を行う。キー入力部１３は、文字や数字などを入力するための各種キー、選択入力のための選択キーなどからなる。
【００１３】
制御部１４は、円形スクロールパッド部１１及び１２の回転操作や、キー入力部１３のキー押下操作を検知して、操作に従った各種機能の制御処理を行う。表示部１５は、制御部１４で処理された情報を画面に表示する。記憶部１６は、携帯端末装置の各種ユーザ設定や電話発着信／メール送受信などの履歴や、サイト閲覧時のデータ取得情報などを記憶する。無線部１７は、電話の発着信や通話などの無線制御や、メールの送受信、サイト閲覧などの通信制御を行う。
【００１４】
また、携帯通信端末１０は、図２の正面図に示すように、外側円形スクロールパッド部１１、内側円形スクロールパッド部１２及び選択キー１３ａは、同心円状にそれぞれ筐体の中央表面位置に配置された円形状の入力部で、これら３つの入力部のうち外側円形スクロールパッド部１１が最も大径で、選択キー１３ａが最も小径で、内側円形スクロールパッド部１２はそれらの中間の径である。なお、外側円形スクロールパッド部１１と内側円形スクロールパッド部１２とは、同程度の高さ（図２の紙面に垂直方向の幅）であるので、厳密には内径と外径とが互いに異なり、かつ、中心位置が一致するようにされた円環状である。
【００１５】
外側円形スクロールパッド部１１と内側円形スクロールパッド部１２は、それぞれ互いに独立して回転操作可能な構成とされている。また、選択キー１３ａは外側円形スクロールパッド部１１と内側円形スクロールパッド部１２の操作とは独立して押下操作可能なキーで、筐体の下側表面位置に配置された複数の矩形状キー１３ｂ、外側円形スクロールパッド部１１の周囲に配置された円形状キー１３ｃと共に、図１に示したキー入力部１３を構成している。表示部１５は、筐体の上側表面位置に配置されており、その画面内には図２の例ではフォーカス２１が表示されている。
【００１６】
次に、本実施形態の動作について説明する。まず、表示部１５の画面に図２に示すように、フォーカス２１が表示されている状態において、外側円形スクロールパッド部１１をユーザが右回り又は左回りの回転操作を行うことにより、画面上に表示している選択枝を示すフォーカス２１が図２に矢印Ａで示す上方向又は下方向に移動する。
【００１７】
次に、内側円形スクロールパッド部１２をユーザが右回り又は左回りの回転操作を行うことにより、画面上に表示している選択枝を示すフォーカス２１が図２に矢印Ｂで示す左方向又は右方向に移動する。このとき、外側円形スクロールパッド部１１及び内側円形スクロールパッド部１２の回転速度に応じた速度で、上記のフォーカス２１が移動する。上記の上下方向及び左右方向の移動により所望の位置にフォーカス２１が移動してきたときに、ユーザが選択キー１３ａを押下すると、フォーカス２１の位置にある選択枝の選択が決定する。
【００１８】
なお、表示部１５の画面に選択枝を示すフォーカスがなく、１画面全体のページ切替による画面スクロール動作を行う場合は、まず、外側円形スクロールパッド部１１をユーザが右回りに回転操作を行うこと、及び内側円形スクロールパッド部１２をユーザが右回りに回転操作を行うことにより、画面を次ページにスクロールさせることができる。また、外側円形スクロールパッド部１１をユーザが左回りに回転操作を行うこと、及び内側円形スクロールパッド部１２をユーザが左回りに回転操作を行うことにより、画面を前ページにスクロールさせることができる。このようにして、画面スクロールや画面のページ移動することができる。
【００１９】
このように、本実施形態によれば、サイト閲覧時のアンカーフォーカスの選択操作や画面スクロール操作、及び文字入力時における画面上に五十音のソフトキーを表示した状態での１文字選択式操作での文字入力動作など、１画面内の上下左右位置に複数の選択項目があるような場合でも、２つの円形スクロールパッド部１１及び１２を使用して画面上のフォーカス２１を上下左右に動かすことで、感覚的に簡単に素早く画面操作を行うことができるメリットがある。
【００２０】
なお、本発明は上記の実施形態に限定されるものではなく、例えば、円形スクロールパッド部１１及び１２は同一位置に中心位置を配置した同心円状としなくてもよく、例えば同径の２つの円形スクロールパッド部を上下又は左右に併設するようにしてもよい。同様に、選択キーも２つの円形スクロールパッド部とは異なる位置に配置してもよい。
【図面の簡単な説明】
【００２１】
【図１】本発明の携帯端末装置の一実施形態のブロック図である。
【図２】本発明の携帯端末装置の一実施形態の外観正面図である。
【符号の説明】
【００２２】
１０  携帯端末装置
１１  外側円形スクロールパッド部
１２  内側円形スクロールパッド部
１３  キー入力部
１４  制御部
１５  表示部
１６  記憶部
１７  無線部
【図１】
2009122794.tif 000003
【図２】
2009122794.tif 000004